【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
電気化学セルであって、
ａ）内部に空洞を限定している第１の電極を収容する容器と、
ｂ）上記空洞を裏打ちし、上記第１の電極に接しているセパレータと、
ｃ）上記セパレータによって裏打ちされた空洞内に配置されている第２の電極と、
を含み、
上記第２の電極は、亜鉛粉末、レオロジー変性剤、ゲル化剤、及び上記ゲル化剤によって吸収されている電解質とを含み、
上記第２の電極は、350 N／ｍ2より小さいプリアセンブリ降伏応力と、２sec-1の剪断速度において12 N・ｓ／ｍ2より小さいプリアセンブリ粘度とを有し、
上記プリアセンブリ降伏応力は、上記レオロジー変性剤を含まないこと以外は同一の第２の電極のプリアセンブリ降伏応力より少なくとも20％小さい、
ことを特徴とする電気化学セル。
【請求項２】
上記第２の電極のプリアセンブリ降伏応力は、300 N／ｍ2より小さく且つ100 N／ｍ2より大きいことを特徴とする請求項１に記載の電気化学セル。
【請求項３】
上記第２の電極のプリアセンブリ粘度は、２sec-1の剪断速度において11 N・ｓ／ｍ2より小さいことを特徴とする請求項１に記載の電気化学セル。
【請求項４】
上記第２の電極のプリアセンブリ粘度は、２sec-1の剪断速度において10 N・ｓ／ｍ2より小さいことを特徴とする請求項３に記載の電気化学セル。
【請求項５】
上記第２の電極のプリアセンブリ粘度は、２sec-1の剪断速度において９ N・ｓ／ｍ2より小さいことを特徴とする請求項４に記載の電気化学セル。
【請求項６】
上記第２の電極のプリアセンブリ粘度は、上記レオロジー変性剤を含まないこと以外は同一の第２の電極のプリアセンブリ粘度より少なくとも15％小さいことを特徴とする請求項１に記載の電気化学セル。
【請求項７】
上記第２の電極のプリアセンブリ粘度は、上記レオロジー変性剤を含まないこと以外は同一の第２の電極のプリアセンブリ粘度より少なくとも30％小さいことを特徴とする請求項６に記載の電気化学セル。
【請求項８】
上記第２の電極のプリアセンブリ粘度は、上記レオロジー変性剤を含まないこと以外は同一の第２の電極のプリアセンブリ粘度より少なくとも40％小さいことを特徴とする請求項７に記載の電気化学セル。
【請求項９】
上記プリアセンブリ降伏応力は、上記レオロジー変性剤を含まないこと以外は同一の第２の電極のプリアセンブリ降伏応力より少なくとも40％小さいことを特徴とする請求項１に記載の電気化学セル。
【請求項１０】
上記プリアセンブリ降伏応力は、上記レオロジー変性剤を含まないこと以外は同一の第２の電極のプリアセンブリ降伏応力より少なくとも60％小さいことを特徴とする請求項９に記載の電気化学セル。
【請求項１１】
上記プリアセンブリ降伏応力は、上記レオロジー変性剤を含まないこと以外は同一の第２の電極のプリアセンブリ降伏応力より少なくとも80％小さいことを特徴とする請求項１０に記載の電気化学セル。
【請求項１２】
上記第２の電極は、少なくとも60重量％の亜鉛粉末を含むことを特徴とする請求項１に記載の電気化学セル。
【請求項１３】
上記第２の電極は、少なくとも0.30重量％のゲル化剤を含むことを特徴とする請求項１２に記載の電気化学セル。
【請求項１４】
上記第２の電極は、アルカリ水溶液を含むことを特徴とする請求項１３に記載の電気化学セル。
【請求項１５】
上記変性剤の量は、上記亜鉛粉末の重量を基準として400ｐｐｍよりは少なく、10ｐｐｍよりは多いことを特徴とする請求項１に記載の電気化学セル。
【請求項１６】
上記変性剤の量は、上記亜鉛粉末の重量を基準として100ｐｐｍよりは少なく、10ｐｐｍよりは多いことを特徴とする請求項１５に記載の電気化学セル。
【請求項１７】
上記変性剤の量は、上記亜鉛粉末の重量を基準として40ｐｐｍよりは少なく、10ｐｐｍよりは多いことを特徴とする請求項１６に記載の電気化学セル。
【請求項１８】
上記変性剤の量は、上記亜鉛粉末の重量を基準として20ｐｐｍよりは少なく、10ｐｐｍよりは多いことを特徴とする請求項１７に記載の電気化学セル。
【請求項１９】
上記亜鉛粉末は、上記亜鉛粉末の合計重量を基準として少なくとも１重量％の亜鉛フレークを含むことを特徴とする請求項１に記載の電気化学セル。
【請求項２０】
上記亜鉛粉末は、上記亜鉛粉末の合計重量を基準として少なくとも２重量％の亜鉛フレークを含むことを特徴とする請求項１９に記載の電気化学セル。
【請求項２１】
上記亜鉛粉末は、上記亜鉛粉末の合計重量を基準として少なくとも５重量％の亜鉛フレークを含むことを特徴とする請求項２０に記載の電気化学セル。
【請求項２２】
上記亜鉛粉末の少なくとも10重量％は、200メッシュのふるいを通過するサイズであることを特徴とする請求項１に記載の電気化学セル。
【請求項２３】
上記亜鉛粉末は、粒子サイズのバイモード分布を有していることを特徴とする請求項１に記載の電気化学セル。
【請求項２４】
電気化学セルであって、
ａ）内部に空洞を限定している第１の電極を収容する容器と、
ｂ）上記空洞を裏打ちし、上記第１の電極に接しているセパレータと、
ｃ）上記セパレータによって裏打ちされた空洞内に配置されている第２の電極と、
を含み、
上記第２の電極は、亜鉛粉末、レオロジー変性剤、ゲル化剤、及び上記ゲル化剤によって吸収されている電解質とを含み、
上記亜鉛粉末は、400ｃｍ2／ｇより大きいＢＥＴ比表面積と、2.8ｇ／ｃｃよりは大きく、3.65ｇ／ｃｃよりは小さいタップ密度と、130ミクロンより小さいＤ50とを有する粒状亜鉛からなり、
上記第２の電極は、350 N／ｍ2より小さいプリアセンブリ降伏応力と、２sec-1の剪断速度において12 N・ｓ／ｍ2より小さいプリアセンブリ粘度とを有する、
ことを特徴とする電気化学セル。
【請求項２５】
上記亜鉛粉末は、14％より大きいＫＯＨ吸収値を有することを特徴とする請求項２４に記載の電気化学セル。
【請求項２６】
上記亜鉛粉末は、15％より大きいＫＯＨ吸収値を有することを特徴とする請求項２５に記載の電気化学セル。
【請求項２７】
上記第２の電極は、300 N／ｍ2より小さいプリアセンブリ降伏応力を有するレオロジー変性剤を含むことを特徴とする請求項２４に記載の電気化学セル。
【請求項２８】
上記第２の電極は、２sec-1の剪断速度において11 N・ｓ／ｍ2より小さい粘度を有するレオロジー変性剤を含むことを特徴とする請求項１８に記載の電気化学セル。
【請求項２９】
上記第２の電極は、２sec-1の剪断速度において10 N・ｓ／ｍ2より小さい粘度を有するレオロジー変性剤を含むことを特徴とする請求項２２に記載の電気化学セル。
【請求項３０】
上記変性剤の量は、上記亜鉛粉末の重量を基準として400ｐｐｍよりは少なく、10ｐｐｍよりは多いことを特徴とする請求項２４に記載の電気化学セル。
【請求項３１】
上記変性剤の量は、上記亜鉛粉末の重量を基準として100ｐｐｍよりは少なく、10ｐｐｍよりは多いことを特徴とする請求項３０に記載の電気化学セル。
【請求項３２】
上記変性剤の量は、上記亜鉛粉末の重量を基準として40ｐｐｍよりは少なく、10ｐｐｍよりは多いことを特徴とする請求項３１に記載の電気化学セル。
【請求項３３】
上記変性剤の量は、上記亜鉛粉末の重量を基準として20ｐｐｍよりは少なく、10ｐｐｍよりは多いことを特徴とする請求項３２に記載の電気化学セル。
【請求項３４】
電気化学セルを製造するプロセスであって、
ａ）内部に空洞を限定している第１の電極を収容する容器を準備するステップと、
ｂ）上記空洞内にセパレータを挿入し、上記セパレータによって上記空洞を裏打ちするステップと、
ｃ）上記セパレータによって裏打ちされた空洞内に第２の電極を配置するステップと、を含み、
上記第２の電極は、亜鉛粉末、レオロジー変性剤、ゲル化剤、及び上記ゲル化剤によって吸収されている電解質とを含み、
上記第２の電極は、350 N／ｍ2より小さいプリアセンブリ降伏応力と、２sec-1の剪断速度において12 N・ｓ／ｍ2より小さいプリアセンブリ粘度とを有し、
上記降伏応力は、上記レオロジー変性剤を含まないこと以外は同一の第２の電極のプリアセンブリ降伏応力より少なくとも20％小さい、
ことを特徴とする電気化学セルを製造するプロセス。
【請求項３５】
閉止アセンブリを、前記容器に確保するステップを更に含むことを特徴とする請求項３４に記載のプロセス。
【請求項３６】
上記プリアセンブリ降伏応力は、300 N／ｍ2より小さいことを特徴とする請求項３４に記載のプロセス。
【請求項３７】
上記プリアセンブリ粘度は、２sec-1の剪断速度において11 N・ｓ／ｍ2より小さいことを特徴とする請求項３４に記載のプロセス。
【請求項３８】
上記プリアセンブリ粘度は、２sec-1の剪断速度において10 N・ｓ／ｍ2より小さいことを特徴とする請求項３４に記載のプロセス。
【請求項３９】
上記プリアセンブリ粘度は、２sec-1の剪断速度において９ N・ｓ／ｍ2より小さいことを特徴とする請求項３４に記載のプロセス。
【請求項４０】
上記プリアセンブリ降伏応力は、上記レオロジー変性剤を含まないこと以外は同一の第２の電極のプリアセンブリ降伏応力より少なくとも40％小さいことを特徴とする請求項３４に記載の方法。
【請求項４１】
上記プリアセンブリ降伏応力は、上記レオロジー変性剤を含まないこと以外は同一の第２の電極のプリアセンブリ降伏応力より少なくとも60％小さいことを特徴とする請求項４０に記載の電気化学セル。
【請求項４２】
上記プリアセンブリ降伏応力は、上記レオロジー変性剤を含まないこと以外は同一の第２の電極のプリアセンブリ降伏応力より少なくとも80％小さいことを特徴とする請求項４１に記載の方法。
【請求項４３】
上記第２の電極のプリアセンブリ粘度は、上記レオロジー変性剤を含まないこと以外は同一の第２の電極のプリアセンブリ粘度より少なくとも15％小さいことを特徴とする請求項３４に記載の方法。
【請求項４４】
上記第２の電極のプリアセンブリ粘度は、上記レオロジー変性剤を含まないこと以外は同一の第２の電極のプリアセンブリ粘度より少なくとも30％小さいことを特徴とする請求項４３に記載の方法。
【請求項４５】
上記第２の電極のプリアセンブリ粘度は、上記レオロジー変性剤を含まないこと以外は同一の第２の電極のプリアセンブリ粘度より少なくとも40％小さいことを特徴とする請求項４４に記載の方法。